(57)【要約】【課題】経時的にキャップと軸筒との装着状態があまくなることがなく、軸筒とキャップの外観における関係を容易に一致させることが可能なキャップ式筆記具を提供する。【解決手段】軸筒の前方部をキャップの開口部に挿通させた際に、キャップ側の磁石と軸筒側の磁石とが磁力により吸着して装着状態となり、装着状態における軸筒をキャップに対して回動させることにより、キャップ側の磁石と軸筒側の磁石とが磁力により反発して該軸筒から該キャップを離脱させる。【選択図】図４
2013256055.tif 000002
【特許請求の範囲】
【請求項１】
軸筒の前方部をキャップの開口部に挿通させて装着する構造のキャップ式筆記具であって、前記キャップに、当該キャップの径方向へ複数の異なる磁極が配列される磁石を設けると共に、前記軸筒に、当該軸筒の径方向へ複数の異なる磁極が配列される磁石を設けることにより、前記軸筒の前方部を前記キャップの開口部に挿通させた際に、前記キャップ側の磁石と前記軸筒側の磁石とが磁力により吸着して装着状態となり、装着状態における前記軸筒を前記キャップに対して回動させることにより、前記キャップ側の磁石と前記軸筒側の磁石とが磁力により反発して該軸筒から該キャップを離脱させることを特徴としたキャップ式筆記具。
【請求項２】
前記軸筒と前記キャップとが外観形状において軸方向の連続性を有する請求項１に記載のキャップ式筆記具。
【発明の詳細な説明】
【技術分野】
【０００１】
本発明は、キャップ式筆記具に関する。
【背景技術】
【０００２】
従来、ボールペンや万年筆等の筆記具では、ペン先やボールペンチップ等の筆記部を保護するために軸筒の前方部へキャップを装着するが、その方法としては、特許文献１に記載されているように、キャップ内に固設したバネカツラで筆記具の軸筒を弾力的に圧接させることにより軸筒にキャップを装着する構造や、特許文献２に記載されているように、キャップの内面と軸筒の外面とに設けた突起部や凹凸部を互いに係止させることにより装着させる構造がある。あるいは、キャップの内面に形成した雌螺子に軸筒の外面に形成した雄螺子を螺合させることにより装着する構造もある。
【先行技術文献】
【特許文献】
【０００３】
【特許文献１】特開２０００−２８９３８４号公報
【特許文献２】特開２００１−２１３０８６号公報
【発明の概要】
【発明が解決しようとする課題】
【０００４】
前述の通り従来構造のキャップ式筆記具は、軸筒に対してキャップが、弾性体による圧接力で装着されるか、突起や螺子などの形状的な係止力で装着される構造であるため、部材同士が擦れて、経時的にキャップと軸筒との装着状態が緩くなってしまう虞があった。
【０００５】
さらに、軸筒とキャップとが外観形状において軸方向の連続性を有する場合、例えばキャップの形状やクリップの位置などキャップ側の方向性と軸筒の模様や形状など軸筒側の方向性を一致させる際に、バネカツラあるいは突起部や凹凸部で係止させて装着する構造では、装着持に双方の位置を合せながらキャップの開口部に軸筒の前方部を挿通させるか、挿通させた後にキャップと軸筒とを相対的に回転させて双方の位置合せを行う必要がある。また、螺合によりキャップを装着させる構造では、キャップ及び軸筒の成形時において、螺合の完了時に双方の位置関係が一致するようにキャップ側の雌螺子と軸筒側の雄螺子とを形成する必要がある。
【０００６】
本発明は、前記従来の問題点を解決するものであって、経時的にキャップと軸筒との装着状態が緩くなることがなく、軸筒とキャップとの外観における関係を容易に一致させることが可能なキャップ式筆記具を提供することを目的とする。
【課題を解決するための手段】
【０００７】
本発明は、
「１．軸筒の前方部をキャップの開口部に挿通させて装着する構造のキャップ式筆記具であって、前記キャップに、当該キャップの径方向へ複数の異なる磁極が配列される磁石を設けると共に、前記軸筒に、当該軸筒の径方向へ複数の異なる磁極が配列される磁石を設けることにより、前記軸筒の前方部を前記キャップの開口部に挿通させた際に、前記キャップ側の磁石と前記軸筒側の磁石とが磁力により吸着して装着状態となり、装着状態における前記軸筒を前記キャップに対して回動させることにより、前記キャップ側の磁石と前記軸筒側の磁石とが磁力により反発して該軸筒から該キャップを離脱させることを特徴としたキャップ式筆記具。
２．前記軸筒と前記キャップとが外観形状において軸方向の連続性を有する１項に記載のキャップ式筆記具。」である。
【０００８】
本発明における磁石とは永久磁石のことを示し、アルニコ磁石、フェライト磁石、ネオジム磁石、サマリウムコバルト磁石、プラセオジム磁石が用いられるが、磁力の強さや価格の面からネオジム磁石が好ましい。また磁石の形状は、円環形状で直径方向の中央においてＳ極とＮ極との磁極が分れている構造のものが好ましいが、磁石の形状や、磁石の径方向における磁極の数に限定はなく、キャップ側と軸筒側の磁石の双方に、少なくともＳ極とＮ極の２つの磁極が径方向に存在し、双方の磁石の磁極が異なる状態で近接した際には磁力で吸着し、双方の磁極が一致した状態で近接した際には磁力で反発する構成とさせることが肝要である。またキャップ及び軸筒は、磁石の磁力に影響を及ぼす鉄などの強磁性体で形成することは好ましくなく、磁石に吸着されない樹脂やアルミニウムや真鍮などで形成することが好ましい。尚、磁石を外部に露出させて、キャップ側と軸筒側の双方の磁石同士を吸着させる構造とすることで磁石が引き合う強さを高めてもよいが、磁力が働いて磁石同士が吸着できる範囲であれば磁石の表面に薄い樹脂やゴムなどを被覆しても構わない。この場合、磁石同士が接触する際の衝撃を緩和して、磁石の割れや欠けの発生を防ぐことができる。
【発明の効果】
【０００９】
本発明のキャップ式筆記具によれば、永久磁石の磁力を用いて軸筒にキャップを装着させる構造であるため、経時的にキャップと軸筒との装着状態が緩くなることはなく、また、軸筒側とキャップ側のそれぞれの径方向へ複数の異なる磁極が配列された磁石により磁石同士が吸着してキャップが軸筒に装着された状態では、隣接する磁石の互いの磁極が反対の状態とが安定して吸着されるので、軸筒とキャップとの外観における関係を容易に一致させることができる。
【図面の簡単な説明】
【００１０】
【図１】図１は、本実施例のキャップ式筆記具におけるキャップを装着した状態を示す要部断面図である。
【図２】図２は、図１の姿図である。
【図３】図３は、キャップを外した状態を示す要部断面図である。
【図４】図４は、図３の姿図である。
【発明を実施するための形態】
【００１１】
以下、図面を参照して本発明におけるキャップ式筆記具の実施例について説明を行う。尚、説明を分かり易くするために、図面中の同様の部材、同様の部分については同じ番号を付してある。本実施例の説明においてはペン先側を上方と表現し、その反対側を下方と表現する。
【００１２】
以下、図１及び図２を用いて本実施例のキャップ式筆記具について説明する。本実施例のキャップ式筆記具１は、軸筒２とキャップ３とで構成されている。軸筒２は、軸筒本体２ａの上方に首部２ｂを有し、首部２ｂの先端にボールペンチップ２ｃを有し、軸筒本体２ａの上端に位置する首部２ｂの外周にはネオジム磁石からなる円環磁石４を接着剤（図示せず）で固着してある。また、キャップ本体３ａの側面にクリップ５を有したキャップ３は、開口部３ｂの下端に円環状の凹部３ｃを形成して、凹部３ｃにネオジム磁石からなる円環磁石６を接着剤（図示せず）で固着してある。尚、クリップ５は頭冠７をキャップ本体３ａに螺合することにより固定してある。
【００１３】
本実施例における円環磁石４及び円環磁石６は、直径方向の中央においてＳ極とＮ極との磁極が分れており、キャップ３を軸筒２に装着した状態では、キャップ３の円環磁石６のＳ極がクリップ５側に位置しており、その円環磁石６に吸着された円環磁石４のＮ極がクリップ５側に位置している。本実施例の軸筒本体２ａの表面には、「Ｐ」の文字である印刷部８を設けてあり、印刷部８が円環磁石６のＮ極側に位置していることから、キャップ３が軸筒２に装着された状態で、クリップ５と印刷部８との位置が磁力により自動的に一致する構造となっている。
【００１４】
次に、図３及び図４を用いてキャップを外す際について説明する。図１に示した状態のキャップ３と軸筒２とを、キャップ３に対して軸筒２を半回転することにより、図３に示すようにキャップ３の円環磁石６のＳ極に対し軸筒２の円環磁石４のＳ極が隣接すると共に、キャップ３の円環磁石６のＮ極に対し軸筒２の円環磁石４のＮ極が隣接し、磁石の磁力による反発力で軸筒２に対してキャップ３を浮き上がらせるようにして、キャップ３を離脱させることができた。次に、キャップ３の開口部３ｂに対して軸筒２の前方を挿通させてキャップ３を落下させると、磁石の磁力で、軸筒２の円環磁石４のＳ極に対しキャップ３の円環磁石６のＮ極が引き寄せられ、軸筒２の円環磁石４のＮ極に対しキャップ３の円環磁石６のＳ極が引き寄せられるようにして、円環磁石４と円環磁石６とが吸着され、図１に示したように、キャップ３のクリップ５と軸筒２の印刷部８とが自動的に一致されるようにして、キャップ３を軸筒２に装着することができた。
【００１５】
尚、本実施例の円環磁石４及び円環磁石６の表面には、薄い樹脂層（図示せず）を設けてあり、磁力でキャップ３の円環磁石６が軸筒２の円環磁石４に対して勢いよく衝接しても、樹脂層により磁石の割れや欠けの発生を防ぐことができた。
【産業上の利用可能性】
【００１６】
本発明のキャップ式筆記具は、ボールペン以外にも万年筆やマーカーなどにも用いることが可能である。
【符号の説明】
【００１７】
１…キャップ式筆記具、
２…軸筒、
２ａ…軸筒本体、２ｂ…首部、２ｃ…ボールペンチップ、
３…キャップ、
３ａ…キャップ本体、３ｂ…開口部、３ｃ…凹部、
４…円環磁石、
５…クリップ、６…円環磁石、７…頭冠、８…印刷部。
【図１】
2013256055.tif 000003
【図２】
2013256055.tif 000004
【図３】
2013256055.tif 000005
【図４】
2013256055.tif 000006